(57)【特許請求の範囲】
【請求項１】
排出手段からほぼ水平にフィードされる帳票の走行経路の上側に配置され、前記帳票を斜め下方に向けるガイド手段と、フィードされた帳票を受けて集積する支持手段とを備えたスタッカ装置において、前記ガイド手段が、前記排出手段による帳票のフィード方向に対して横方向に間隔を開けて配置された複数のガイドであって、そのガイドの下面によって前記帳票を斜め下方に向ける複数のガイドを備え、該複数のガイドのうち、前記排出手段によるフィードの中心軸線の両側で且つ前記中心軸線から外れた位置に配置された複数のガイドの各々が、前記排出手段によるフィードの中心軸線に面する側のエッジを、フィード方向の下流に向かうに従って前記フィードの中心軸線から遠ざかるよう外側に傾斜させ、反対側のエッジを前記フィードの中心軸線に平行としていることを特徴とするスタッカ装置。
【発明の詳細な説明】
【０００１】
【発明の属する技術分野】
本発明は、次々とほぼ水平にフィードされる帳票を重ねた状態に集積するスタッカ装置に関する。
【０００２】
【従来の技術】
従来より、図４、図５に示すように、帳票１を、排出ローラ２からほぼ水平に次々と排出し、その帳票１を、帳票の走行経路の上側に配置されたガイド手段３で斜め下方に向け、その下方にほぼ水平に配置されたベルトコンベア４上に受け取り、そのベルトコンベア４で排出ローラ２による排出速度よりも低速で搬送しながら、ベルトコンベア４の端部に配置された支持ガイド５に沿って立ち上げ、集積する構成のスタッカ装置６が知られている。ここで使用されるガイド手段３は、通常板金製のもので、排出ローラ２による帳票のフィード方向（矢印Ａ方向）に対して横方向に延びるベース部３ａと、そのベース部３ａから延びるように、且つ前記帳票のフィード方向に対して横方向に間隔を開けて、互いに平行に配置された複数のガイド３ｂを備えた構成であり、その複数のガイド３ｂが排出ローラ２に間隔をあけて配置している複数のローラ部分の間を斜め下方に延び出し、排出ローラ２によって高速でフィードされた帳票１の跳ね上がりを防止し、斜め下方に案内していた。
【０００３】
【発明が解決しようとする課題】
しかし、かかる従来の装置では、排出ローラ２からフィードされる帳票１がガイド３ｂに乗り上げ、引っ掛かってジャムを発生することがあるという問題があった。
【０００４】
本発明者等は、上述の問題点の原因を検討の結果、これらの問題が次の理由により生じていたことを見出した。すなわち、従来のガイド手段３では、各ガイド３ｂのエッジが帳票のフィード方向に平行に形成されているため、帳票１のサイズ或いはフィード位置によっては、帳票のエッジ１ａとガイド３ｂのエッジ３ｃとが重なってしまうことがあり、その場合に帳票がガイドに乗り上げたり挟まったりして引っ掛かり、ジャムが発生していた。
本発明は、かかる知見に基づいてなされたもので、帳票がガイドに引っ掛かってジャムを起こすことを防止し、良好な帳票の集積を可能とするスタッカ装置を提供することを目的とする。
【０００５】
【課題を解決するための手段】
本発明は、排出ローラ等の排出手段からほぼ水平にフィードされる帳票を下方に案内するガイド手段に設けている複数のガイドのエッジのうち、前記排出手段によるフィードの中心軸線に面する側即ち内側のエッジを、フィード方向の下流に向かうに従って前記フィードの中心軸線から遠ざかるよう外側に傾斜させるという構成としたものである。この構成により、フィードされた帳票のエッジが、一つのガイドの内側のエッジに重なる位置となっていたとしても、その帳票が進行するにつれてガイドのエッジが外側に広がるため、帳票のエッジがガイドのエッジから離れてゆき、帳票がガイドに乗り上げたり挟まったりして引っ掛かるということがない。
【０００６】
【発明の実施の形態】
本発明は、排出手段からほぼ水平にフィードされる帳票の走行経路の上側に配置され、前記帳票を斜め下方に向けるガイド手段と、フィードされた帳票を受けて集積する支持手段とを備えたスタッカ装置において、前記ガイド手段が、前記排出手段による帳票のフィード方向に対して横方向に間隔を開けて配置された複数のガイドであって、そのガイドの下面によって前記帳票を斜め下方に向ける複数のガイドを備え、該複数のガイドのうち、前記排出手段によるフィードの中心軸線の両側で且つ前記中心軸線から外れた位置に配置された複数のガイドの各々が、前記排出手段によるフィードの中心軸線に面する側のエッジを、フィード方向の下流に向かうに従って前記フィードの中心軸線から遠ざかるよう外側に傾斜させ、反対側のエッジを前記フィードの中心軸線に平行としていることを特徴とする。この構成により、フィードされた帳票のエッジが、一つのガイドの内側のエッジに重なる位置となっていたとしても、その帳票が進行するにつれて、そのガイドの外側に広がったエッジから離れ、従って帳票はガイドに引っ掛かることなく下方に落下し、支持手段によって集積される。ここで、ガイド手段としては、板金製のもの、プラスチック製のもの等任意である。ガイドのエッジに形成する傾斜は、帳票の引っ掛かりを防止できれば、極力小さい方が好ましく、そのエッジのフィード方向に対する傾斜角は、０．５〜２．０度程度に設定することが好ましい。なお、内側のエッジに傾斜を付与するに際し、必ずしも全てのガイドについて内側のエッジに傾斜を付与する必要はなく、取り扱う帳票のエッジに接触する恐れのある部分のガイドについてのみ、その内側のエッジに傾斜を付与すればよい。
【０００７】
本発明のスタッカ装置は、任意の形式の帳票、例えば、単票からなる帳票、用紙を折り畳んだ形態の帳票、用紙を折り畳んで貼り合わせ、葉書状或いは封書状とした帳票、複数枚の単票を丁合して作成した帳票等の集積に使用可能であり、任意の帳票処理装置に組み合わせて使用可能である。その帳票処理装置の具体例としては、プリンタで印字した連続帳票を個々の帳票に切断して排出する装置、その連続帳票を折り重ね且つ個々の帳票に切断して排出する装置、連続帳票を折り重ね、個々の帳票に切断し、更に貼り合わせて排出する装置、複数枚の単票を重ね合せて綴じ、排出する装置等を挙げることができる。
【０００８】
また、本発明のスタッカ装置において、フィードされた帳票を受けて集積する支持手段としては、フィードされる帳票を集積しうる任意の形式のものを採用可能であり、例えば、フィードされる帳票を水平に搬送し、集積位置に配置された支持ガイドに沿って立ち上げ、集積する構成のコンベアを用いたもの、フィードされる帳票を単に水平に受け取ってそのまま集積させる支持台を用いたもの等を挙げることができる。
【０００９】
【実施例】
以下、本発明のスタッカ装置を、バースター装置に組み合わせた実施例を説明する。図１は、バースター装置１４及びそれに組み合わせた本発明の実施例になるスタッカ装置６Ａを示す概略側面図、図２はそのスタッカ装置の主要部の概略斜視図、図３（ａ）、（ｂ）は、スタッカ装置の主要部の概略平面図及び概略側断面図であり、図４、図５に示す従来例と同一部品には同一符号を付して示している。図１〜図３において、１４はバースター装置であり、連続帳票１Ａを引き出すための第一送りローラ１５と、その第一送りローラ１５よりも速い速度で回転する第二送りローラ１６と、その第一送りローラ１５と第二送りローラ１６の間で連続帳票１Ａに接触する位置に配置されたブレード１７と、第二送りローラ１６の下流に配置された排出ローラ２等を備えており、連続帳票１Ａを、その連続帳票１Ａに形成されている横ミシン目を利用して、且つ第一送りローラ１５、第二送りローラ１６による速度差並びにブレード１７によって個々の帳票１に切断し、排出ローラ２によって次々と排出する構成となっている。この排出ローラ２はスタッカ装置６Ａに対して帳票をフィードする排出手段を構成している。
【００１０】
スタッカ装置６Ａは、排出ローラ２からフィードされる帳票１を受け取る位置に配置されており、排出ローラ２から高速でフィードされる帳票１の走行経路の上側に配置され、その帳票１の跳ね上がりを防止し、斜め下方に案内するガイド手段３Ａと、帳票１を受け取ってほぼ水平に、且つ排出ローラ２による排出速度よりも低速で搬送するベルトコンベア４Ａと、その後端に設けられ、ベルトコンベア４Ａで搬送されてくる帳票１を斜め方向に立ち上がるように支持する支持ガイド５等を備えている。ここで使用するガイド手段３Ａは、従来と同様に、排出ローラによる帳票のフィード方向（矢印Ａ方向）に対して横方向に延びるベース部３Ａａと、そのベース部３Ａａから延びるように、且つ前記帳票のフィード方向に対して横方向に間隔を開けて、互いにほぼ平行に配置された複数のガイド３Ａｂを備え、その複数のガイド３Ａｂが、排出ローラ２によりフィードされる帳票１を、ガイド３Ａｂの下面によって斜め下方に案内するように配置された構成であるが、従来とは異なり、そのガイド３Ａｂのうち、排出ローラ２によるフィードの中心軸線Ｏ−Ｏの両側で且つ該中心軸線Ｏ−Ｏから外れた位置にあるガイド３Ａｂの、前記フィードの中心軸線Ｏ−Ｏに面する側のエッジ３Ａｃを、フィード方向の下流に向かうに従って前記フィードの中心軸線Ｏ−Ｏから遠ざかるよう外側に傾斜させ、反対側のエッジを前記フィードの中心軸線Ｏ−Ｏに平行としている。エッジ３Ａｃのフィード方向に対する傾斜角αは、０．５〜２．０度程度に設定しておく。
【００１１】
このスタッカ装置６Ａにおいても、バースター装置１４の排出ローラ２から次々と帳票１が高速でフィードされてくると、その帳票１をガイド手段３Ａが下方に案内し、ベルトコンベア４がその帳票１を受け取り、後端に搬送し、その位置で斜め方向に立ち上げて集積してゆく。ここで、排出ローラ２から排出された帳票１がガイド手段３Ａのガイド３Ａｂにぶつかって下方に案内される際、フィードされた帳票１のエッジ１ａが、一つのガイド３Ａｂの内側のエッジ３Ａｃに重なる位置となることがある。しかし、その場合であっても、その帳票１が進行するにつれてガイド３Ａｂのエッジ３Ａｃが外側に広がるため、帳票１のエッジ１ａから離れることとなり、帳票１がガイド３Ａｂに乗り上げたり挟まったりして引っ掛かるということがない。かくして、常に良好な集積が可能となる。
【００１２】
【発明の効果】
以上に説明したように、本発明のスタッカ装置は、複数のガイドのエッジのうち、排出手段による帳票のフィードの中心軸線に面する側即ち内側のエッジを、フィード方向の下流に向かうに従って前記フィードの中心軸線から遠ざかるよう外側に傾斜させるという構成としたことにより、フィードされた帳票のエッジが、一つのガイドの内側のエッジに重なる位置となっていたとしても、その帳票が進行するにつれてガイドのエッジが外側に広がるため、帳票のエッジがガイドのエッジから離れてゆき、帳票がガイドに乗り上げたり挟まったりして引っ掛かるということがなく、帳票を常に安定して集積できるという効果を有している。
【図面の簡単な説明】
【図１】バースター装置及びそれに組み合わせた本発明の実施例になるスタッカ装置を示す概略側面図
【図２】図１に示すスタッカ装置の主要部の概略斜視図
【図３】（ａ）、（ｂ）、（ｃ）は、図１に示すスタッカ装置の主要部の概略平面図及び側断面図
【図４】従来のスタッカ装置を示す概略側面図
【図５】従来のスタッカ装置の主要部の概略斜視図
【符号の説明】
１  帳票
１Ａ  連続帳票
１ａ  エッジ
２  排出ローラ
３、３Ａ  ガイド手段
３ａ、３Ａａ  ベース部
３ｂ、３Ａｂ  ガイド
３ｃ、３Ａｃ  エッジ
４  ベルトコンベア
５  支持ガイド
６、６Ａ  スタッカ装置
【図１】
0003957016.tif 000002
【図２】
0003957016.tif 000003
【図３】
0003957016.tif 000004
【図４】
0003957016.tif 000005
【図５】
0003957016.tif 000006